(57)【要約】      （修正有）【課題】常時持ち歩くことが可能な携帯性に優れた携帯型濃縮酸素供給装置を提供する。【解決手段】空気取入口１６が設けられた本体１２と、吐出ノズル１４とを備え、本体内には、空気取入口に連通される部位に配設された酸素富化膜と、酸素富化膜および吐出ノズルとの間に連通接続されたエアーポンプ４０と、エアーポンプを駆動するための乾電池２３を備えた。長さは１５０ｍｍ以下、幅５０ｍｍ以下、高さ３０ｍｍ以下とした。また、酸素富化膜は、円筒部を有し、円筒部内と連通される取付筒と、空気が流通可能であって円筒部の外周に取付られた円筒状の緩衝材を備えた酸素富化膜ユニット３０において、緩衝材の外周に取り付けられた。吐出ノズルは外径を１０ｍｍ以下とし二つ併設した。【選択図】図２
0003187216.tif 000002
【実用新案登録請求の範囲】
【請求項１】
空気取入口が設けられた本体と、吐出口とを備え、
前記本体内には、前記空気取入口に連通される部位に配設された酸素富化膜と、前記酸素富化膜および前記吐出口との間に連通接続された吸引手段と、前記吸引手段を駆動するための電源を備えることを特徴とする携帯型濃縮酸素供給装置。
【請求項２】
長さ１５０ｍｍ以下、幅５０ｍｍ以下、高さ３０ｍｍ以下に設けられたことを特徴とする請求項１に記載の携帯型濃縮酸素供給装置。
【請求項３】
前記電源として乾電池を利用することを特徴とする請求項１または請求項２に記載の携帯型濃縮酸素供給装置。
【請求項４】
円筒状の円筒部を有し、前記円筒部内と連通される取付筒と、空気を流通可能であって前記円筒部の外周に取付られた円筒状の緩衝材と、前記緩衝材の外周に取り付けられた酸素富化膜とを備えた酸素富化膜ユニットを備えていることを特徴とする請求項１から請求項３のいずれかに記載の携帯型濃縮酸素供給装置。
【請求項５】
前記吸引手段はエアーポンプであることを特徴とする請求項１から請求項４のいずれかに記載の携帯型濃縮酸素供給装置。
【請求項６】
前記吐出口は外径が１０ｍｍ以下の吐出ノズルであることを特徴とする請求項１から請求項５のいずれかに記載の携帯型濃縮酸素供給装置。
【請求項７】
前記吐出ノズルがその軸心間を２０ｍｍ以内として二つ併設されたことを特徴とする請求項６に記載の携帯型濃縮酸素供給装置。
【請求項８】
空気取入口が設けられた本体と、吐出口とを備え、前記本体内には、前記空気取入口に連通される部位に配設された酸素富化膜と、前記酸素富化膜および前記吐出口との間に連通接続された吸引手段と、前記吸引手段を駆動するための電源を備え、その長さが１５０ｍｍ以下、幅５０ｍｍ以下、高さ３０ｍｍ以下に設けられ、前記電源として乾電池を利用し、円筒状の円筒部を有し、前記円筒部内と連通される取付筒と、空気を流通可能であって前記円筒部の外周に取付られた円筒状の緩衝材と、前記緩衝材の外周に取り付けられた酸素富化膜とを備えた酸素富化膜ユニットを備え、前記吐出口は外径が１０ｍｍ以下の吐出ノズルであって、前記吐出ノズルがその軸心間を２０ｍｍ以内として二つ併設されたことを特徴とする携帯型濃縮酸素供給装置。
【考案の詳細な説明】
【技術分野】
【０００１】
この考案は、酸素富化膜を備えた携帯型濃縮酸素供給装置に関する。
【背景技術】
【０００２】
従来、通常の空気よりも酸素濃度が高い空気を吸引することが可能な濃縮酸素供給装置が知られている。このような濃縮酸素供給装置は、吸入酸素濃度（FiO2）を増加させて、動脈血酸素分圧（PaO2）を正常に保ち、組織に十分な酸素を供給して、喘息（ぜんそく），肺気腫，肺炎などの呼吸器疾患や，鬱血（うつけつ）性心不全，著しい貧血，一酸化炭素中毒などに対する治療を行ったり、また、勉強、仕事、作業等を効率よく行なえるよう集中力を高めるために用いられたりしている。このような濃縮酸素供給装置としては、シリンダー内に窒素を吸着する機能のある特殊なゼオライトを入れて、加圧と減圧を繰り返すことにより空気中の酸素と窒素を分離する方式（Pressure Swing Adsorption 
「PSA方式」）、二種類の薬剤と水を使用して反応させ100％の酸素を発生するペットボトル型の携帯酸素発生器を用いる方式、酸素と窒素を分離する気体分離膜の一種である酸素富化膜を用いる方式などが知られている。
【０００３】
これらのうち酸素富化膜を用いる方式は、有機高分子の平膜より構成した酸素富化膜を用い、酸素富化膜を通過する酸素分子と窒素分子の速度差を利用して、空気中の酸素を濃縮することができる。コンプレッサーやポンプなどを用いて濃縮することができるので、濃縮酸素供給装置を比較的簡便にかつ比較的小型に構成することができ、また、電気の供給ができない場所においても使用可能なものである（例えば特許文献１参照）。
【先行技術文献】
【特許文献】
【０００４】
【特許文献１】特開２００８−１２６１８６号公報（図１等）
【考案の概要】
【考案が解決しようとする課題】
【０００５】
従来の濃縮酸素供給装置は、簡便な構造で比較的小型であるものの、常時持ち歩く等の携帯性までは備えていない。よって、設置場所を問わないものではあるが、特定の設置場所に設置して使用する態様に限られていた。
【０００６】
本考案が解決しようとする目的は、前述した従来技術の問題点を解決するものであり、常時持ち歩くことが可能な程度まで携帯性に優れた携帯型濃縮酸素供給装置を提供することを目的とする。
【課題を解決するための手段】
【０００７】
上記課題を解決するものは以下のものである。
（１）本考案の第一の手段の携帯型濃縮酸素供給装置は、
空気取入口が設けられた本体と、吐出口とを備え、
前記本体内には、前記空気取入口に連通される部位に配設された酸素富化膜と、前記酸素富化膜および前記吐出口との間に連通接続された吸引手段と、前記吸引手段を駆動するための電源を備えることを特徴とする。
【０００８】
本考案によれば、電源およびこの電源によって駆動される吸引手段とを備えているので、独立して持ち運びが可能であるとともに、酸素富化膜によって濃縮酸素を生じさせることができるので、ＰＳＡ方式のように多くの部品を必要とせず、また薬剤などを内蔵しておく酸素発生器のように薬剤や水をあらかじめ備えておく必要が無い。よって、携帯型でかつ小型化することが容易であり、ポケットなどに収納できるほど小型化することができる。
【０００９】
（２）本考案の第二の手段の携帯型濃縮酸素供給装置は、前述した第一の手段の携帯型濃縮酸素供給装置であって、長さ１５０ｍｍ以下、幅５０ｍｍ以下、高さ３０ｍｍ以下に設けられたことを特徴とするものである。
【００１０】
このようなサイズに装置の大きさを設けることにより、使用者がポケット等に収納することを容易にすることができる。
【００１１】
（３）本考案の第三の手段の携帯型濃縮酸素供給装置は、前述した第一または第二の手段の携帯型濃縮酸素供給装置であって、前記電源として乾電池を利用することを特徴とするものである。
【００１２】
このように乾電池を利用することにより、装置の小型化を図ることができ、また、利用容易な電源を用いるものとすることができる。
【００１３】
（４）本考案の第四の手段の携帯型濃縮酸素供給装置は、前述した第一から第三のいずれかの手段の携帯型濃縮酸素供給装置であって、円筒状の円筒部を有し、前記円筒部内と連通される取付筒と、空気を流通可能であって前記円筒部の外周に取付られた円筒状の緩衝材と、前記緩衝材の外周に取り付けられた酸素富化膜とを備えた酸素富化膜ユニットを備えていることを特徴とするものである。
【００１４】
このような酸素富化膜ユニットを備えることにより、酸素の濃縮を円筒部周りの全周に渡って行え、濃縮を効率良く行えるとともに、緩衝材によって酸素富化膜を保持して、吸引による酸素富化膜の損傷のおそれを低減させることができる。
【００１５】
（５）本考案の第五の手段の携帯型濃縮酸素供給装置は、前述した第一から第四のいずれかの手段の携帯型濃縮酸素供給装置であって、前記吸引手段はエアーポンプであることを特徴とするものである。
【００１６】
このような吸引手段とすることにより、装置の全体を小型化することができる。
【００１７】
（６）本考案の第六の手段の携帯型濃縮酸素供給装置は、前述した第一から第五のいずれかの手段の携帯型濃縮酸素供給装置であって、前記吐出口は外径が１０ｍｍ以下の吐出ノズルであることを特徴とするものである。
【００１８】
このような吐出ノズルとすることにより、鼻腔カニューレとして、使用者の酸素吸引を容易にすることができる。
【００１９】
（７）本考案の第七の手段の携帯型濃縮酸素供給装置は、前述した第六の手段の携帯型濃縮酸素供給装置であって、前記吐出ノズルがその軸心間を２０ｍｍ以内として二つ併設されたことを特徴とするものである。
【００２０】
このように吐出ノズルを二つ併設することにより、鼻腔カニューレとして使用者の酸素吸引を容易かつ確実におこなうことができる。
【００２１】
（８）また、本考案の第八の手段の携帯型濃縮酸素供給装置は、空気取入口が設けられた本体と、吐出口とを備え、前記本体内には、前記空気取入口に連通される部位に配設された酸素富化膜と、前記酸素富化膜および前記吐出口との間に連通接続された吸引手段と、前記吸引手段を駆動するための電源を備え、その長さが１５０ｍｍ以下、幅５０ｍｍ以下、高さ３０ｍｍ以下に設けられ、前記電源として乾電池を利用し、円筒状の円筒部を有し、前記円筒部内と連通される取付筒と、空気を流通可能であって前記円筒部の外周に取付られた円筒状の緩衝材と、前記緩衝材の外周に取り付けられた酸素富化膜とを備えた酸素富化膜ユニットを備え、前記吐出口は外径が１０ｍｍ以下の吐出ノズルであって、前記吐出ノズルがその軸心間を２０ｍｍ以内として二つ併設されたことを特徴とするものである。
【００２２】
本考案の携帯型濃縮酸素供給装置は、前述の構成とされているので、電源に接続できない屋外などにおいても持ち運び可能であり、かつ、使用者が常時携帯していても邪魔にならないものとすることができる。
【図面の簡単な説明】
【００２３】
【図１】図１は、本考案の携帯型濃縮酸素供給装置の斜視図である。
【図２】図２は、本考案の携帯型濃縮酸素供給装置の透視斜視図である。
【図３】図３は、本考案の携帯型濃縮酸素供給装置に用いられる酸素富化膜ユニットの断面図である。
【図４】図４は、本考案の携帯型濃縮酸素供給装置の使用態様を示す図である。
【考案を実施するための形態】
【００２４】
以下において、本考案の携帯型濃縮酸素供給装置について、図面を参照して詳細に説明する。図１に示されるように、本考案の携帯型濃縮酸素供給装置１０は、小型に形成された箱状の全体形状に設けられており、使用者がポケット内などに常時携帯しておくことが可能な大きさ・形状とされている。本例においては、二つの吐出ノズル１４を鼻腔内に挿入して濃縮酸素を吸入する。
【００２５】
携帯型濃縮酸素供給装置１０は、薄長の直方体状の本体１２と、この本体１２の一端側から突設された円筒状の二つの吐出ノズル１４とを備えている。携帯型濃縮酸素供給装置１０は、その長さが約１５０ｍｍ、幅が約５０ｍｍ、高さが約３０ｍｍとされており、前述のように使用者がポケット内などにしまうことが可能な大きさに設けられている。
【００２６】
また、本体１２の両側面には、後述する酸素富化膜ユニット３０に空気を取り入れるための空気取入口１６が開口されている。空気取入口１６は多数の小孔１６ａから構成されている。また、吐出ノズル１４側の本体１２裏面には、胸ポケットなどにしまった際に、携帯型濃縮酸素供給装置１０が胸ポケットなどから脱落しないように胸ポケットなどに係止することができるクリップ１８が備えられている。
【００２７】
ついで、携帯型濃縮酸素供給装置１０の内部構造について説明する。図２に示されるように、本体１２内部は、本体１２の長手方向における吐出ノズル１４側の第一室２０と、吐出ノズル１４と反対側の第二室２２とを備えている。第一室２０内には、後述するエアーポンプ４０などが収納固定されており、一方、第二室２２にはエアーポンプ４０を駆動するための電源である乾電池２３が二つ固定されている。
【００２８】
第一室２０内には、酸素富化膜ユニット３０と、この酸素富化膜ユニット３０に接続されたエアーポンプ４０が取り付けられている。図３に示されるように、酸素富化膜ユニット３０は、ユニット本体部３２と、円筒状の緩衝材３８と、酸素富化膜３９とから構成されている。ユニット本体部３２は、前後にそれぞれ形成されたフランジ３３，３４と、フランジ３３，３４間に形成されるとともに空気が連通可能な小孔が開口された円筒部３５とが備えられている。また、円筒部３５内と連通されるとともに、円筒部３５の軸心に沿う方向に一方のフランジ３３から突設された取付筒３６が設けられている。
【００２９】
そして、円筒部３５の周りには円筒状の緩衝材３８が取り付けられ、さらにこの緩衝材３８の周りに酸素富化膜３９が取り付けられている。緩衝材３８は微細な穴が多数形成された発泡ウレタンを用いており、その内外において一定量の空気が流通可能に設けられている。また、一定の形状を保つように所定の固さを備えている。酸素富化膜３９は、偏平状の多孔質支持体の表面にポリジメチルシロキサンをコーティングして厚さ約１μｍの極薄の平膜状とされている。この酸素富化膜３９は公知のものであり、通常の空気における酸素濃度が約２１％（窒素約７９％）であるのに対して、この酸素富化膜３９を通過させることにより、酸素濃度を約２５〜３０％とすることができる。
【００３０】
酸素富化膜３９はこのように極薄に形成されているが、緩衝材３８の外周面に装着されることにより、円筒部３５側に空気が吸引される際に損傷しないように、緩衝材３８によって内側から保持されるように構成されている。
【００３１】
酸素富化膜ユニット３０の取付筒３６は、エアーポンプ４０に連通接続されている。エアーポンプ４０は公知のものを利用しており、乾電池２０により駆動され、酸素富化膜ユニット３０の取付筒３６側から吸引した空気を吐出ノズル１４側に吐出する。エアーポンプ４０は小型のものであり、前述したように、小型に形成された本体１２内に収容可能な大きさに設けられ、その第一室２０内に収容固定されている。
【００３２】
そして、エアーポンプ４０は、酸素富化膜ユニット３０側から吸引した空気を吐出する吐出ノズル１４に連通接続されている。吐出ノズル１４は、前述したように、装置１０の本体１２の一端からその軸心間を２０ｍｍ以内としてそれぞれ突設されており、使用者の鼻腔内に挿入可能な鼻腔カニューレとして機能する。そのために本実施例では、その長さは約２０ｍｍとされ、その外径は約１０ｍｍとされている。
【００３３】
ついで、このように構成された携帯型濃縮酸素供給装置１０の使用方法について説明する。前述したように、この携帯型濃縮酸素供給装置１０は小型に形成されているので、使用者のズボンのポケット内などに常時携帯することができる。この際に、本体１２裏面のクリップ１８をポケットなどの縁に係止しておくと、携帯型濃縮酸素供給装置１０がポケット内から容易には脱落しないようにすることができる。図４に示されるように、使用する際には、ポケットから取り出して吐出ノズル１４を鼻腔内に挿入して、本体１２裏側のスイッチ（図示省略）を入れる。スイッチを入れるとエアーポンプ４０が起動して、エアーポンプ４０に連通接続された酸素富化膜ユニット３０側の空気を吸引して吐出ノズル１４側へ排出する。エアーポンプ４０によって、本体１２の両側面の空気取入口１６から吸入された外気は、酸素富化膜３９を通過して緩衝材３８側へ吸引される。この際に、酸素富化膜３９によって、通常の空気よりも酸素濃度の高い濃縮酸素が緩衝材３８側に吸引される。緩衝材３８を通過した濃縮酸素は、ユニット本体部３２の円筒部３５、取付筒３６へ導かれて、さらにエアーポンプ４０内を通過し、そして吐出ノズル１４から吐出されることになる。
【００３４】
本考案は前述の例に限られず、本考案の趣旨の範囲内で適宜の変更が可能である。例えば、装置の全体形状は他の形状としても良い。例えば横断面が楕円形状や長円形状としても良い。また、酸素富化膜は、適宜適当な種類を選択することが可能である。第四の手段以外の携帯型濃縮酸素供給装置においては、酸素富化膜ユニットの形状は円筒状のものに限られず、断面矩形状の筒状のものや、酸素富化膜および緩衝材を一体として壁面状に形成して空気を一方向にのみ通過させるものと変更することもできる。
【産業上の利用可能性】
【００３５】
本考案は、種々の携帯型濃縮酸素供給装置について広く用いることができる。
【符号の説明】
【００３６】
１０；携帯型濃縮酸素供給装置、１２；本体、１４；吐出ノズル、１６；空気取入口、１６ａ；小孔、１８；クリップ、２０；第一室、２２；第二室、２３；乾電池、３０；酸素富化膜ユニット、３２；ユニット本体部、３３，３４；フランジ、３５；円筒部、３６；取付筒、３８；緩衝材、３９；酸素富化膜、４０；エアーポンプ。
【図１】
0003187216.tif 000003
【図２】
0003187216.tif 000004
【図３】
0003187216.tif 000005
【図４】
0003187216.tif 000006